(57)【要約】【課題】複数のレーンが設けられている場合に、各レーンに対する回転機構の設置や各レーンからの回転機構の取り外しを簡易化する。【解決手段】揃え機構６０は、複数配列された陳列装置用ユニット３０のうちの最も左側に位置する陳列装置用ユニット３０の左側に配置されるとともに、上方に延びる第１脚部６１を備えている。また、最も右側に配置された陳列装置用ユニット３０の右側に配置され、上方に延びる第２脚部６２を備えている。さらに、第１脚部６１の上部および第２脚部６２の上部によってその両端が支持され、複数の回転機構５０を支持する支持部６３を備えている。【選択図】図１１
2010187873.tif 000002
【特許請求の範囲】
【請求項１】
外面に標記が付された物品が移動する複数のレーンを有し当該レーンに投入された当該物品を移動させ陳列する陳列部に対して設置される回転機構支持装置であって、
前記複数のレーンの各々に対応して設けられ、当該レーンを移動する前記物品の前記標記を特定の方向に向けるために当該物品を回転させる複数の回転機構と、
前記複数の回転機構をまとめて支持する支持機構と、
を備える回転機構支持装置。
【請求項２】
前記複数の回転機構には、互いに隣接する一の回転機構と他の回転機構とが含まれ、
前記一の回転機構を構成する一部の部材と前記他の回転機構を構成する一部の部材は、共通の部材を介し前記支持機構に支持されていることを特徴とする請求項１記載の回転機構支持装置。
【請求項３】
前記複数の回転機構には、第１の位置に設けられた第１の回転機構と、当該第１の位置とは高さの異なる第２の位置に設けられた第２の回転機構とが含まれていることを特徴とする請求項１又は２に記載の回転機構支持装置。
【請求項４】
前記複数の回転機構には、第１の位置に設けられた第１の回転機構と、前記レーンの前後方向において当該第１の位置とは異なる第２の位置に設けられた第２の回転機構とが含まれていることを特徴とする請求項１又は２に記載の回転機構支持装置。
【請求項５】
外面に標記が付された物品と、
前記物品を陳列する陳列装置と、
を備え、
前記陳列装置は、
前記物品が移動する複数のレーンと、
前記複数のレーンの各々に対応して設けられ当該レーンを移動する前記物品の前記標記を特定の方向に向けるために当該物品を回転させる複数の回転機構と、
着脱可能に設けられ、前記複数の回転機構をまとめて支持する支持機構と、
を含む陳列システム。
【請求項６】
前記支持機構は、並列配置された前記複数のレーンの上方を横断する横断部を有し、
前記複数の回転機構は、前記横断部から垂下した状態で設けられていることを特徴とする請求項５記載の陳列システム。
【請求項７】
前記支持機構は、前記横断部の一端部側を支持する第１の脚部と、当該横断部の他端部側を支持する第２の脚部とを備え、
前記複数の回転機構は、前記第１の脚部と前記第２の脚部との間に配置されていることを特徴とする請求項６記載の陳列システム。
【請求項８】
前記複数の回転機構のうちの少なくとも一つの回転機構は、前記レーンを移動する前記物品に傾斜を付与する傾斜付与部と、当該傾斜付与部により傾斜した当該物品の側部に接触し当該物品に回転力を付与する回転力付与部と、を備え、
前記物品は、前記回転力付与部により回転され前記標記が前記特定の方向を向いた際に前記傾斜付与部による前記傾斜が解除されるように構成されていることを特徴とする請求項５乃至７のいずれかに記載の陳列システム。
【請求項９】
前記物品は、前記回転機構により回転され前記標記が前記特定の方向を向いた際に当該回転機構から落下するように構成されていることを特徴とする請求項５乃至７のいずれかに記載の陳列システム。
【請求項１０】
外面に標記が付された物品が移動する複数のレーンと、
前記複数のレーンの各々に対応して設けられ、当該レーンを移動する前記物品の前記標記を特定の方向に向けるために当該物品を回転させる複数の回転機構と、
着脱可能に設けられ、前記複数の回転機構をまとめて支持する支持機構と、
を含む陳列装置。
【請求項１１】
前記複数の回転機構のうちの少なくとも一つは、移動可能に設けられていることを特徴とする請求項１０記載の陳列装置。
【発明の詳細な説明】
【技術分野】
【０００１】
本発明は、物品を回転させる回転機構を支持する回転機構支持装置等に関する。
【背景技術】
【０００２】
例えばコンビニエンスストアなどにおいては、ペットボトルなど飲料が充填された容器が、陳列装置に縦置きに載せられて販売される。そしてこのような陳列装置は、例えば、容器自身の自重により陳列ケースの前方に容器が移動するように傾斜した状態で配置される。そして、手前側（最前列）の１つの容器を抜き取ると、後続の容器が自重で手前側に移動する。
ここで陳列装置の容器が載せられる箇所には、容器の滑りの良さから例えばプラスチックの平板が設けられる。また、近年では回転可能なローラを多数配置した陳列装置が提案されている（例えば、特許文献１参照）。また、容器の補充は陳列装置の後方側から行うのが一般的であるが、手前側からの容器の投入を可能とするとともに、奥側に移動した容器が、再度手前側に移動し陳列される陳列装置も提案されている（例えば、特許文献２参照）。即ち、前方側から投入された容器がＵターンして戻ってくる陳列装置が提案されている。さらに、容器に関するものとして、缶底に形成された環状凸部の内周壁に、内側凹部と縦リブとが円周方向に交互に形成された缶が提案されている（例えば、特許文献３参照）。
【０００３】
【特許文献１】特開平１１−１５５７０１号公報
【特許文献２】米国特許第６５０２４０８号
【特許文献３】特開２０００−２１１６２４号公報
【発明の開示】
【発明が解決しようとする課題】
【０００４】
ここで容器などの物品の外面には、商品名や商標名など他の商品と識別するための標記が設けられるが、この標記が購入者の取り出し方向に向いていないと、物品の識別がしにくくなるとともに、物品の陳列時の見栄えが悪くなる。このため、陳列される物品は、回転させるなどして標記を所定の方向に向けることが好ましい。
【０００５】
ここで物品の回転は、例えば、物品を回転させる回転機構を物品が移動するレーンに設置することにより行うことができる。ところで陳列装置には、複数種類の物品が陳列可能なように複数のレーンが設けられることが多く、各レーンに対する回転機構の設置や各レーンからの回転機構の取り外しは作業を煩雑化させる。
【課題を解決するための手段】
【０００６】
本発明が適用される回転機構支持装置は、外面に標記が付された物品が移動する複数のレーンを有しレーンに投入された物品を移動させ陳列する陳列部に対して設置される回転機構支持装置であって、複数のレーンの各々に対応して設けられ、レーンを移動する物品の標記を特定の方向に向けるために物品を回転させる複数の回転機構と、複数の回転機構をまとめて支持する支持機構と、を備える回転機構支持装置である。
【０００７】
ここで、複数の回転機構には、互いに隣接する一の回転機構と他の回転機構とが含まれ、一の回転機構を構成する一部の部材と他の回転機構を構成する一部の部材は、共通の部材を介し支持機構に支持されていることを特徴とすることができる。また、複数の回転機構には、第１の位置に設けられた第１の回転機構と、第１の位置とは高さの異なる第２の位置に設けられた第２の回転機構とが含まれていることを特徴とすることができる。さらに、複数の回転機構には、第１の位置に設けられた第１の回転機構と、レーンの前後方向において第１の位置とは異なる第２の位置に設けられた第２の回転機構とが含まれていることを特徴とすることができる。
【０００８】
また、本発明を陳列システムと捉えた場合、本発明が適用される陳列システムは、外面に標記が付された物品と、物品を陳列する陳列装置と、を備え、陳列装置は、物品が移動する複数のレーンと、複数のレーンの各々に対応して設けられレーンを移動する物品の標記を特定の方向に向けるために物品を回転させる複数の回転機構と、着脱可能に設けられ、複数の回転機構をまとめて支持する支持機構と、を含む陳列システムである。
【０００９】
ここで、支持機構は、並列配置された複数のレーンの上方を横断する横断部を有し、複数の回転機構は、横断部から垂下した状態で設けられていることを特徴とすることができる。また、支持機構は、横断部の一端部側を支持する第１の脚部と、横断部の他端部側を支持する第２の脚部とを備え、複数の回転機構は、第１の脚部と第２の脚部との間に配置されていることを特徴とすることができる。さらに、複数の回転機構のうちの少なくとも一つの回転機構は、レーンを移動する物品に傾斜を付与する傾斜付与部と、傾斜付与部により傾斜した物品の側部に接触し物品に回転力を付与する回転力付与部と、を備え、物品は、回転力付与部により回転され標記が特定の方向を向いた際に傾斜付与部による傾斜が解除されるように構成されていることを特徴とすることができる。また、物品は、回転機構により回転され標記が特定の方向を向いた際に回転機構から落下するように構成されていることを特徴とすることができる。
【００１０】
また、本発明を陳列装置と捉えた場合、本発明が適用される陳列装置は、外面に標記が付された物品が移動する複数のレーンと、複数のレーンの各々に対応して設けられ、レーンを移動する物品の標記を特定の方向に向けるために物品を回転させる複数の回転機構と、着脱可能に設けられ、複数の回転機構をまとめて支持する支持機構と、を含む陳列装置である。
【００１１】
ここで、複数の回転機構のうちの少なくとも一つは、移動可能に設けられていることを特徴とすることができる。
【発明の効果】
【００１２】
複数のレーンが設けられている場合に、各レーンに対する回転機構の設置や各レーンからの回転機構の取り外しを簡易化することができる。
【発明を実施するための最良の形態】
【００１３】
以下、添付図面を参照して、本発明を実施するための最良の形態について詳細に説明する。
―第１の実施形態―
図１は、本発明の実施形態に係る陳列装置等の概略構成を示した図である。
まず同図（Ａ）を参照し、陳列装置１００（同図（Ｂ）参照）を構成する陳列装置用ユニット３０について説明する。
陳列装置用ユニット３０は、図柄が印刷されたフィルムＦが外周面に装着され且つ飲料が内部に充填された容器２０（物品の一例）が載せられる載置部３１と、容器２０の移動経路（移動レーン）を形成するとともに容器２０の移動を案内するガイド３２とを備えている。ここでガイド３２は、載置部３１に設けられた開口（不図示）に差し込まれることにより載置部３１に固定されている。また陳列装置用ユニット３０は、好ましくは透明に形成され且つ載置部３１の一側辺に沿って配置され、容器２０の移動を停止させる規制板３４を備えている。
【００１４】
次いで、陳列装置１００について説明する。
同図（Ｂ）に示すように、本実施形態における陳列装置１００は、複数の陳列装置用ユニット３０が並列配置されることにより構成されている。また、陳列装置１００は、陳列装置１００に投入された容器２０の向きを揃える揃え機構（回転機構支持装置）６０を備えている。なお並列配置された複数の陳列装置用ユニット３０は、容器２０を移動させ陳列する陳列部として捉えることができる。
【００１５】
ここで図２は、陳列装置１００が設置される陳列ケース１０を示した図である。
陳列装置１００は、同図に示すように、コンビニエンスストア、スーパーマーケットなどに設置される陳列ケース１０の内部に収納される。この陳列ケース１０は、直方体状に形成されたケース本体部１０Ａと、このケース本体部１０Ａに対して開閉可能に設けられたドア１０Ｂとにより主要部が構成されている。
ここで陳列装置１００は、陳列ケース１０に設けられた棚（不図示）の上に載せられる。詳細には、陳列ケース１０に設けられた棚の上に、まず複数の陳列装置用ユニット３０が並列配置される。その後、揃え機構６０が設置される。
【００１６】
陳列装置用ユニット３０が設置される際、各陳列装置用ユニット３０は、規制板３４が設けられた側がドア１０Ｂ側に位置するように設置される。また載置部３１の各々は、規制板３４が設けられた側が、規制板３４が設けられた側とは反対側よりも下方に位置するように配置される。即ち、各載置部３１は、陳列ケース１０の後方側から容器２０が取り出される前方側（取り出し部側）に向かって下り傾斜した状態で配置される。
【００１７】
ここで本実施形態における陳列ケース１０は、後方側にもドアが設けられ（不図示）、後方側も開放可能となっている。そしてこの後方側より陳列装置１００に容器２０が投入される。即ち、陳列ケース１０の後方側および陳列装置１００の後方側に容器２０の投入部が設けられた構成となっている。そして、投入された容器２０は載置部３１上をドア１０Ｂ側に向かって移動する。即ち、容器２０を購入する購入者側に向かって移動する。なお、本明細書では、ドア１０Ｂ側を前方側（前方）と称しドア１０Ｂとは反対側を後方側（後方）と称する場合がある。また、陳列ケース１０の幅方向（容器２０が移動する方向に直交する方向）を横方向、幅方向と称する場合がある。
【００１８】
次いで容器２０について説明する。
図３は、陳列装置１００に陳列される容器２０を説明するための図である。なお、同図（Ａ）は正面図を示し、同図（Ｂ）は同図（Ａ）のＡ−Ａ線における断面を示している。
【００１９】
本実施形態における容器２０は、ＰＥＴ（ポリエチレンテレフタレート）などの樹脂材料により形成された容器を例示している。この容器２０は、例えば、樹脂材料を用いた射出成形（ブロー成形）法、樹脂材料を用いてプリフォームを成形後、これをブロー成形する方法により製造することができる。
同図（Ａ）に示すように本実施形態における容器２０は、上部に開口（飲み口）を有し且つ筒状に形成され内部に飲料が充填された容器本体２１と、容器本体２１の開口を塞ぐキャップ２２とを備えている。また容器本体２１の外周面には、フィルムＦが装着されている。
【００２０】
ここでキャップ２２は、その外周面に、キャップ２２の高さ方向に沿って形成された凸部、同じく高さ方向に沿って形成された凹部を有している。この凸部および凹部は複数設けられるとともに、キャップ２２の周方向において交互に配置されている。
またフィルムＦには、同図（Ａ）、（Ｂ）に示すように、商品名、商標名など他の商品と識別するための第１識別標記２３ａ、第２識別標記２３ｂが印刷されている（なお本明細書においては、以下単に「識別標記２３」と称する場合がある。）。ここで、第１識別標記２３ａおよび第２識別標記２３ｂは、同一の形態でもいいし異なる形態とすることもできる。なお第１識別標記２３ａおよび第２識別標記２３ｂは、容器２０の周方向において、位相が１８０°ずれた状態で配置されている。
【００２１】
また容器２０は、容器本体２１の上部に（キャップ２２の下部に）、容器本体２１の外周面から容器本体２１の径方向に突出した突出部２４を備えている。
ここで突出部２４は、容器本体２１と一体に形成されている。また、突出部２４は、同図（Ｂ）に示すように、直径Ｄ２を有した円の一部が切り欠かれた形状となっている。付言すれば切り欠かれた形状の部位を有している。さらに付言すれば、突出部２４は、直径Ｄ２を有した円の一部に面削ぎ状の部位が設けられた状態となっている。更に説明すれば、突出部２４は、直径Ｄ２を有した円の一部に、第１平坦部２４１が設けられ、他の一部に、第２平坦部２４２が設けられた状態となっている。
【００２２】
ここで、第１平坦部２４１および第２平坦部２４２は、互いに平行となる関係で配置されている。また、第１平坦部２４１と第２平坦部２４２とは、上記直径Ｄ２の大きさよりも小さい距離Ｄ１をおいて配置されている。さらに、識別標記２３との関係を説明すると、第１平坦部２４１および第２平坦部２４２は、第１識別標記２３ａおよび第２識別標記２３ｂに対し、位相が９０°ずれた状態で配置されている。
【００２３】
さらに説明すると、第１識別標記２３ａ又は第２識別標記２３ｂが陳列装置１００（図２参照）の前方を向いた際における突出部２４の幅はＤ１となる。また、第１識別標記２３ａ又は第２識別標記２３ｂが陳列装置１００の幅方向を向いた際における突出部２４の幅はＤ２となる。さらに説明すると、第１識別標記２３ａ又は第２識別標記２３ｂが向いている方向における突出部２４の幅はＤ２となり、第１識別標記２３ａ又は第２識別標記２３ｂが向いている方向と直交する方向における突出部２４の幅はＤ２よりも小さいＤ１となる。さらに説明すると、第１識別標記２３ａ又は第２識別標記２３ｂが付された側から容器２０を眺めた場合に、突出部２４は、奥行き方向の寸法がＤ２となり、幅方向の寸法がこのＤ２よりも小さいＤ１となる。
【００２４】
図４は、陳列装置用ユニット３０の上面図を示している。
本実施形態における各陳列装置用ユニット３０では、載置部３１に、複数のロール状部材３１１が設けられている。詳細に説明すると、複数のロール状部材３１１が前後方向に沿って並べられた第１ローラ列３１２と、同じく複数のロール状部材３１１が前後方向に沿って並べられた第２ローラ列３１３とが、載置部３１に設けられている。各々のロール状部材３１１は、容器２０の移動経路に沿った回転が可能なように設けられており、容器２０を前方へ円滑に移動させる。
【００２５】
ところで、陳列装置１００が陳列ケース１０に設置される際、上記のとおり、複数の陳列装置用ユニット３０とともに揃え機構６０が設置される。ここで揃え機構６０は、容器２０を回転させ容器２０に付された識別標記２３を前方に向ける回転機構５０を有している。
【００２６】
この回転機構５０は、陳列装置用ユニット３０の前後方向に沿って設けられる第１ガイド５１と、第２ガイド５２とを有している。
回転力付与部の一例としての第１ガイド５１は、板状の部材により構成されている。また、第１ガイド５１は、前方側に第１傾斜部５１１を有し、後方側に第２傾斜部５１２を有している。
ここで第１傾斜部５１１は、図中左側の一端部の方が図中右側の他端部よりも上方に位置するように、且つ、この一端部の方が他端部よりも左側に位置するように傾斜して配置されている。付言すれば、第１傾斜部５１１は、陳列装置用ユニット３０の載置部３１から離れるに従い左側のガイド３２に接近するように傾斜して配置されている。また第１傾斜部５１１は、キャップ２２の外周面が接触する（詳細は後述）接触面５１１ａに、複数の凸部および凹部を有している。
【００２７】
なお接触面５１１ａは、載置部３１から離れるに従い容器２０の移動経路の側方（図中左側方向）に接近するように傾斜した状態となっている。付言すれば、接触面５１１ａは、容器２０の移動経路の側方に向かうに従い載置部３１から離れるように傾斜した状態となっている。更に付言すれば、接触面５１１ａは、左側のガイド３２側（図中左側方向）に傾斜して配置され、斜め上方を向くように配置されている。
【００２８】
ここで接触面５１１ａに形成された凸部および凹部は、陳列装置用ユニット３０の前後方向と直交する方向に沿って形成されるとともに、陳列装置用ユニット３０の前後方向において、交互に配置されている。そして本実施形態では、キャップ２２の外周面が接触面５１１ａに接触した状態にあると、キャップ２２の外周面に形成された凹凸と、接触面５１１ａに形成された凹凸とが噛み合うようになる。この結果、容器２０における左方側の移動が抑制され、容器２０は周方向の回転を行う（詳細は後述）。
【００２９】
第２傾斜部５１２は、陳列装置用ユニット３０の後方側に向かうに従い、左側のガイド３２に接近するように配置されている。付言すれば第２ガイド５２との間に形成される間隙が拡がるように配置されている。なお、第２傾斜部５１２には、上記凹凸が設けられていないが、この第２傾斜部５１２にも凹凸を付与することができる。この第２傾斜部５１２は、陳列装置用ユニット３０に投入された容器２０を第２ガイド５２側に誘導する。
【００３０】
一方、傾斜付与部の一例としての第２ガイド５２は、円柱状の部材により構成され、載置部３１の上方に設けられている。また、第２ガイド５２は、第１ガイド５１との間に間隙を有し且つ第１ガイド５１に対向配置されている。この第２ガイド５２は、その前方に直線状に形成されたストレート部５２１を有し、その後方に傾斜部５２２を有している。
【００３１】
傾斜部５２２は、陳列装置用ユニット３０の後方側に向かうに従い図中右側のガイド３２に接近するように配置されている。また、傾斜部５２２は、陳列装置用ユニット３０の後方側に向かうに従い載置部３１に接近するように配置されている（図５（第１ガイド５１および第２ガイド５２の側面図）も参照）。付言すれば、陳列装置用ユニット３０の前方に向かうに従い載置部３１から離れるように配置されている。また傾斜部５２２は、その端部（図中上端部）が、投入された容器２０の突出部２４（図３参照）よりも下方に位置するように配置されている。この傾斜部５２２は、投入された容器２０を第１ガイド５１側に誘導する。また、傾斜部５２２およびストレート部５２１は、後述するように容器２０に傾斜を付与する。
【００３２】
ここで図６（回転機構５０の断面図）を参照して回転機構５０について更に詳細に説明する。なお、同図（Ａ）は図４のＡ−Ａ線における断面図であり、同図（Ｂ）は図４のＢ−Ｂ線における断面図であり、同図（Ｃ）は図４のＣ−Ｃ線における断面図である。
【００３３】
上記のとおり第２ガイド５２には、傾斜部５２２が設けられ、そしてこの傾斜部５２２は、陳列装置用ユニット３０の後方側に向かうに従い載置部３１に接近するように配置されている。即ち、陳列装置用ユニット３０の前方に向かうに従い載置部３１から離れるように配置されている。付言すれば、傾斜部５２２と載置部３１との離間距離が陳列装置用ユニット３０の前方に向かうに従い大きくなるように、傾斜部５２２は配置されている。例えば図６（Ａ）にて載置部３１と傾斜部５２２との離間距離がＨ１であった場合に、図６（Ｂ）では離間距離がＨ２（＞Ｈ１）となり、図６（Ｃ）では離間距離がＨ３（＞Ｈ２＞Ｈ１）となる。また、第１ガイド５１の第２傾斜部５１２と、第２ガイド５２の傾斜部５２２との水平方向の距離は、陳列装置用ユニット３０の前方側に向かうに従い小さくなっている。例えば図６（Ａ）にて水平方向の距離がＷ１であった場合に、図６（Ｂ）ではＷ２（＜Ｗ１）となり、図６（Ｃ）ではＷ３（＜Ｗ２＜Ｗ１）となる。
【００３４】
本実施形態では、識別標記２３が移動経路の側方を向いた状態（前方以外の方向を向いた状態）で容器２０が陳列装置１００（各陳列装置用ユニット３０）に投入されると、容器２０の右方側が傾斜部５２２により持ち上げられ、容器２０は左方側に傾くようになる。そしてこの傾きによって、容器２０のキャップ２２が第１ガイド５１に接触し、容器２０が回転するようになる。そして識別標記２３が前方を向くと、キャップ２２が第１ガイド５１から離間し、容器２０は識別標記２３が前方を向いた状態で前方に移動していく。
【００３５】
図７、図８（容器２０の動作を説明するための図）を用いて容器２０の動作について詳細に説明する。なお、図７（Ａ）は、図６（Ａ）で示した回転機構５０と容器２０とを示した図であり、図７（Ｂ）は、図６（Ｂ）で示した回転機構５０と容器２０とを示した図であり、また、図７（Ｃ）は、図６（Ｃ）で示した回転機構５０と容器２０とを示した図である。
【００３６】
図７（Ａ）に示すように、識別標記２３が移動経路の側方を向いた状態で投入された容器２０が、第１ガイド５１の第２傾斜部５１２と第２ガイド５２の傾斜部５２２との間に達すると、容器２０の突出部２４の下部に傾斜部５２２が位置する状態となる。そして本実施形態では、傾斜部５２２が、上記のとおり載置部３１から離れるように傾斜した状態で配置されているために、容器２０に傾斜が付与される。
【００３７】
詳細には、容器２０の前方への移動に伴い突出部２４の下部に傾斜部５２２が接触する。そして、容器２０がさらに前方へ移動するのに伴い、突出部２４が傾斜部５２２に持ち上げられるようになる（同図（Ｂ）参照）。これにより容器２０は、第２傾斜部５１２（第１ガイド５１）側に傾くようになる。そして、容器２０は、突出部２４が傾斜部５２２により更に持ち上げられることで更に傾くようになり、同図（Ｃ）に示すように、キャップ２２の外周面であってキャップ２２の上部側が第１傾斜部５１１（第１ガイド５１）の接触面５１１ａに接触する。これによりキャップ２２の外周面における凹凸と、第１傾斜部５１１の接触面５１１ａにおける凹凸との間で噛み合いが生じる。
【００３８】
その後、容器２０は、図８（Ａ）の矢印６Ｄに示すように周方向の回転を開始し更に前方へ移動していく。そして同図（Ｂ）に示すように識別標記２３（第２識別標記２３ｂ）が前方を向く状態となると、ストレート部５２１（第２ガイド５２）による突出部２４の支持が解除される。付言すれば、識別標記２３が前方を向く状態となると、突出部２４の第１平坦部２４１あるいは第２平坦部２４２（図３（Ｂ）参照）が、ストレート部５２１と対峙するようになり、第２ガイド５２による突出部２４の支持が解除される。
【００３９】
この結果、図８（Ｂ）、（Ｃ）に示すように、容器２０の上部側（キャップ２２側）がストレート部５２１（第２ガイド５２）側に移動するようになり、キャップ２２と第１傾斜部５１１（第１ガイド５１）とが離間するようになる。付言すれば容器２０の傾斜が解除される。これにより、容器２０への回転力の付与も解除される。そして、容器２０は同図（Ｃ）に示す姿勢を維持した状態で前方へスライドしていく。即ち、容器２０は、識別標記２３が前方を向いた状態を維持したまま陳列装置１００の前方まで移動していく。なお、第２ガイド５２（ストレート部５２１）には、フッ素樹脂など摺動抵抗を減じる素材を貼付等しておくことがより好ましい。識別標記２３が前方を向いた容器２０の第２ガイド５２による再回転をより抑制可能となるからである。
【００４０】
本実施形態では、図７（Ａ）に示したように、例えば第２識別標記２３ｂが側方を向いた状態で容器２０が載置部３１に置かれたとしても、前方に達する段階において、第２識別標記２３ｂが前方に向くようになる。このため、第２識別標記２３ｂが前方に向いていない状態で容器２０の載置（投入）を行ったとしても、陳列ケース１０（図２参照）の前方側に容器２０が達した際に第２識別標記２３ｂを前方に向いた状態となる。即ち本実施形態では、容器２０を陳列装置１００に投入する投入者が特別な操作をしないでも、識別標記２３が前方を向くこととなる。
【００４１】
なお、識別標記２３が前方を向いた状態で容器２０が投入された場合には、第２ガイド５２の傾斜部５２２による突出部２４の持ち上げが行われない。このため、キャップ２２と第１ガイド５１との接触も行われず、容器２０は投入されたときの姿勢を維持したまま（識別標記２３が前方を向いた状態を維持したまま）陳列装置１００（陳列装置用ユニット３０）の前方へ移動していく。
【００４２】
なお上記では、２つの識別標記２３が１８０°のずれを有して配置された容器２０について説明した。その一方で、容器２０には識別標記２３が一つのみ設けられる場合がある。また、識別標記２３が１８０°以外のずれを有して配置される場合もある。
【００４３】
図９、図１０は、容器２０の他の一例を示した図である。
例えば図９に示すように、識別標記２３が一つのみ設けられる場合には、面削ぎ状（切り欠き状）の部位を一箇所設ける。即ち、第１平坦部２４１を一箇所設ける。なお、この第１平坦部２４１は、識別標記２３に対し９０°のずれを有して配置される。
また例えば図１０に示すように、２つの識別標記２３（第１識別標記２３ａ、第２識別標記２３ｂ）が９０°のずれを有して配置される場合がある。このような場合は、第１識別標記２３ａに対応して第２平坦部２４２を設け、第２識別標記２３ｂに対応して第１平坦部２４１を設ける。
【００４４】
次に揃え機構６０について詳細に説明する。
図１１は、揃え機構６０を陳列装置用ユニット３０とともに示した図である。なお、同図（Ａ）では揃え機構６０の上面を図示し、同図（Ｂ）では揃え機構６０の正面を図示している。
【００４５】
同図（Ｂ）に示すように揃え機構６０は、容器２０が通過可能なようにゲート状に形成されている。詳細に説明すると、揃え機構６０は、複数配列された陳列装置用ユニット３０のうちの最も左側に位置する陳列装置用ユニット３０の左側に配置されるとともに、上方に延びる第１脚部６１を備えている。また、最も右側に配置された陳列装置用ユニット３０の右側に配置され、上方に延びる第２脚部６２を備えている。さらに、第１脚部６１の上部および第２脚部６２の上部によってその両端が支持され、上記回転機構５０を支持する支持部６３を備えている。ここで、第１脚部６１、第２脚部６２、および支持部６３は、複数の回転機構５０をまとめて支持する支持機構として捉えることができる。
【００４６】
ここで、揃え機構６０は、第１脚部６１および第２脚部６２を介し、陳列ケース１０（図２参照）に設けられた上記棚（不図示）の上に設置される。なおこの際、この棚に開口などを設けておき、この開口に第１脚部６１および第２脚部６２を差し込んでもよい。また、例えば図中左端に位置する陳列装置用ユニット３０の載置部３１、および図中右端に位置する陳列装置用ユニット３０の載置部３１に開口を設けておく。そして、この開口に第１脚部６１および第２脚部６２を差し込んでもよい。また、揃え機構６０は、ねじなどの締結具を用いて固定してもよい。
【００４７】
本実施形態では、支持部６３は、同図（Ａ）、（Ｂ）に示すように板状に形成され、且つ、水平方向に沿って配置されている。さらに説明すると、支持部６３は、複数の陳列装置用ユニット３０の上方を横切るように配置されている。なお支持部６３は、複数の陳列装置用ユニット３０の上方を横断する横断部として捉えることができる。
そして本実施形態では、上記回転機構５０が支持部６３に吊り下げられた状態（垂下した状態）で設けられている。ここで回転機構５０は、各陳列装置用ユニット３０に対応して複数（本実施形態では４つ）設けられている。また、各陳列装置用ユニット３０の載置部３１の上部に位置するように、その配置間隔が設定されている。なお、上記では説明を省略したが、第１ガイド５１は、Ｌ字状に形成された支持部材５３によって支持部６３に固定されている。また、第２ガイド５２も、Ｌ字状に形成された支持部材５４によって支持部６３に固定されている。
【００４８】
ところで、複数の陳列装置用ユニット３０の各々に対して上記回転機構５０を設ける場合、その作業が繁雑になる。また、例えば上記突出部２４を有していない容器２０に適したものにするため、回転機構５０を取り外す必要が生じる場合もある。この場合、陳列装置用ユニット３０の各々から回転機構５０を取り外すとなると手間を要するようになる。そこで、本実施形態においては、一つの揃え機構６０に対し複数の回転機構５０を設け、一回の揃え機構６０の設置または取り外しにより複数の回転機構５０の設置および取り外しを可能としている。
また、本実施形態では揃え機構６０を設置するだけで容器２０の識別標記２３の向きを揃えることができる。通常、陳列装置に対して新たな機能を付加する場合、陳列装置の再設計が行われることが一般的であるが、本実施形態の場合、陳列装置の再設計などを行うことなく、識別標記２３の向きを揃えるという機能を付加することができる。即ち、既存の陳列装置に対して本実施形態の揃え機構６０を設けるだけで、向きを揃えるという機能を付加することができる。
【００４９】
また、揃え機構６０は、第１脚部６１と第２脚部６２との間に、一つの回転機構５０を設ける構成とすることもできる。そして、図２３（陳列装置１００の他の構成を説明する図）に示すように、複数の陳列装置用ユニット３０（容器搬送経路）の各々に対応して、複数の揃え機構６０を設置する。ところでこの場合、第１脚部６１と第２脚部６２の数が増加するため、陳列装置１００の幅が増す可能性がある。本実施形態のように、複数の回転機構５０を、一対の脚部（第１脚部６１、第２脚部６２）で支持するようにすれば、陳列装置１００の幅の増加を抑制することができる。付言すれば、複数の回転機構５０を、共通の脚部で支持するようにすれば、陳列装置１００の幅の増加を抑制することができる。
【００５０】
なお本実施形態では、回転機構５０における第１ガイド５１および第２ガイド５２を、容器２０の移動経路の全長に沿ってではなく、移動経路の一部に沿って配置したが、第１ガイド５１および第２ガイド５２は、容器２０が取り出される取り出し部を除き、移動経路の全長に亘って設けることもできる。この場合、容器２０は第１ガイド５１および第２ガイド５２によりガイドされることとなるため、ガイド３２の省略が可能となる。
【００５１】
なお、ペットボトルなどの樹脂製の容器２０は、設計の自由度が高いため、円筒状のものに限られず図１２に示すような形状とすることもできる。
図１２は、容器２０の変形例を示した図である。なお同図（Ａ）は容器２０の正面図であり、同図（Ｂ）は同図（Ａ）のＡ−Ａ線における断面図である。また、同図（Ｃ）は同図（Ａ）のＢ−Ｂ線における断面図である。
同図に示す容器２０は、基本形状が角柱（四角柱）状に形成されている。そして、４つある側面のうち、互いに対向する関係の第１側面２１１および第２側面２１２に識別標記２３が付されている。
【００５２】
ここで基本形状が角柱状である場合、容器２０の回転が困難となることが想定される。このため本変形例における容器２０では、載置部３１と接触する箇所（容器２０の底部側）を円筒状としている。付言すれば、容器２０の底部側における断面の外形形状を円としている。このような形態とすることにより、容器２０を円滑に回転させ識別標記２３を前方に向けることが可能となる。
【００５３】
また、容器２０の底部が円筒状以外である場合、容器２０に対して装着部材を装着してもよい。
図１３は、装着部材を説明するための図である。
容器２０の底部が円筒状以外である場合、同図（Ａ）に示すように、容器２０の底部に外周形状が円形の装着部材７０を取り付けてもよい。なお、同図（Ｂ）は、底部の形状が三角形の容器２０に装着される装着部材７０を示し、同図（Ｃ）は、底部の形状が四角形の容器２０に装着される装着部材７０を示し、同図（Ｄ）は、底部の形状が六角形の容器２０に装着される装着部材７０を示し、同図（Ｅ）は、底部の形状が楕円の容器２０に装着される装着部材７０を示している。
【００５４】
また、上記実施形態では、揃え機構６０を陳列装置用ユニット３０の後方側に設けたが、陳列装置用ユニット３０の前方側（容器２０の取り出し部側）に設けてもよい。回転機構５０により識別標記２３が前方を向いた容器２０は、ガイド３２に接触することにより再度回転するおそれがある。この場合、識別標記２３が前方以外の方向を向いてしまう。揃え機構６０を前方側に配置することで容器２０とガイド３２とが接触する機会が減少し、識別標記２３が前方以外の方向を向くことをより抑制できる。
【００５５】
また、上記実施形態では樹脂製の容器２０を例示したが、いわゆる金属ボトル缶に対しても上記と同様の機能を付与することができる。但し、上記突出部２４に相当する箇所は、別部材を取り付けることにより形成することが好ましい。
また、上記実施形態では、載置部３１に複数のロール状部材３１１を設けたが、ロール状部材３１１を省略し載置部３１を平滑にしてもよい。
また上記実施形態では、第１ガイド５１の接触面５１１ａに凹凸を付与したが、接触面５１１ａに対してＥＰＤＭ（エチレン−プロピレンゴム）などのゴム部材を貼付してもよい。
【００５６】
また、第１ガイド５１および第２ガイド５２は、次のような形態とすることもできる。
図１４および図１５は、第１ガイド５１および第２ガイド５２の変形例を示した図である。
上記では、第１ガイド５１が板状の部材により構成されていたが、図１４（Ａ）に示すように、第１ガイド５１は、円柱状の部材により構成することができる。なおこの場合も、凹凸が第１ガイド５１の表面に形成されている。
また、図１４（Ｂ）に示すように、第２ガイド５２の表面に、回転可能に設けられた球状のコロ５２３を設けることもできる。なお、このようにコロ５２３を設ける場合、第２ガイド５２は、円柱状ではなく、上面が形成されるように断面を矩形とすることが好ましい。
【００５７】
さらに、第２ガイド５２は、図１５に示すような形態とすることもできる。ここで、図１５（Ａ）は回転機構５０の上面図である。図１５（Ｂ）は図１５（Ａ）のＡ−Ａ線における断面図を示している。
図１５（Ｂ）に示すように、第２ガイド５２は、円柱状ではなく、断面が半円状となるように形成することもできる。なお、この場合、円弧を有する部分が上部側に位置する。また、第２ガイド５２は、図１５（Ｃ）に示すように、側方からではなく下方から支持することもできる。即ち、第２ガイド５２の下部に対して支持部材５４を接続することもできる。
【００５８】
揃え機構６０の変形例についてさらに説明する。
図１６は、揃え機構６０の変型例を説明するための図である。
上記では４つの陳列装置用ユニット３０（４つの容器搬送経路（容器搬送レーン））に対応した揃え機構６０について説明したが、図１６（Ａ）に示すように、２つの陳列装置用ユニット３０に対応した揃え機構６０とすることもできる。
なお同図（Ａ）に示す揃え機構６０では、２つの第１ガイド５１の各々に対応して支持部材５３を設けず、一つの支持部材５３（共通の支持部材５３）により２つの第１ガイド５１を支持している。即ち、支持部材５３の共用化を図っている。このような共用化を図ることにより陳列装置１００の幅方向における寸法がより小さいものとなる。また、本形態では、支持部材５４が、支持部６３ではなく第１脚部６１および第２脚部６２により支持されている。
【００５９】
また上記では、各々の陳列装置用ユニット３０に、高さ寸法が同じの容器２０が投入される場合を想定していたが、同図（Ｂ）に示すように、異なる高さ寸法を有する容器２０が投入可能な揃え機構６０とすることもできる。この形態における揃え機構６０では、容器２０（突出部２４）の高さに対応させて、第１ガイド５１、第２ガイド５２の高さ方向における位置を異ならせている。付言すれば、高さの異なる容器２０に対応可能なように、回転機構５０の高さ方向における位置を異ならせている。なお、本例では高さ方向において回転機構５０の位置を異ならせたが、陳列装置１００の前後方向（移動レーンの前後方向）において位置を異ならせてもよい。また、様々なサイズの容器２０や様々な形態の陳列装置１００に対応するため、回転機構５０を、前後方向、左右方向、上下方向などに移動可能に設けてもよい。
【００６０】
また本実施形態では、第１ガイド５１をキャップ２２に接触させたが、支持部材５３の長さを大きくすることで第１ガイド５１をより下方に配置し、第１ガイド５１を容器２０の側部に接触させてもよい。即ち、容器２０へ回転力を付与する位置は、キャップ２２に限られず容器２０の側部でもよい。
また第２ガイド５２も同様であり、より下方の位置にて容器２０に傾斜を付与してもよい。例えば、容器２０の側部に突出部を設けておき、この突出部を持ち上げることで容器２０に傾斜を付与してもよい。
【００６１】
―第２の実施形態―
次に第２の実施形態について説明する。
図１７は、第２の実施形態に係る容器２０および回転機構５０を示した図である。なお、他の構成については第１の実施形態と同様であるため説明を省略する。また、同図（Ｄ）は容器２０の上面図であり、同図（Ｅ）は同図（Ｄ）のＡ−Ａ線における断面図であり、同図（Ｆ）は同図（Ｄ）のＢ−Ｂ線における断面図である。
【００６２】
本実施形態おける容器２０の突出部２４は、同図（Ａ）、（Ｃ）、（Ｅ）に示すように、第１識別標記２３ａが設けられた側が薄く、第２識別標記２３ｂが設けられた側が厚くなっている。また、識別標記２３と９０°位相がずれた位置（同図（Ｂ）、（Ｆ）参照）では、上記薄い箇所の厚みと厚い箇所の厚みの間の厚み（中間の厚み）となっている。付言すれば、突出部２４の下面は、容器２０の中心軸に対して直交する面と平行とならずこの面に対して傾斜している。
【００６３】
同図（Ａ）に示すように第１ガイド５１は、同じ高さ位置に、相対するように２つ設置されている。また、第２ガイド５２も、同じ高さ位置に、相対するように２つ設置されている。なお、第２ガイド５２は、第１ガイド５１よりも下方に位置している。
【００６４】
本実施形態では、容器２０の識別標記２３（第１識別標記２３ａ、第２識別標記２３ｂ）が移動方向と直交する方向を向いている場合、同図（Ａ）、（Ｃ）に示すように第２ガイド５２によって突出部２４が下方から支持される。そしてこの場合、突出部２４の下面が水平となり、容器２０がいずれかの第１ガイド５１側に傾く。これにより、キャップ２２に対して第１ガイド５１が接触するようになる。この結果、容器２０は回転しながら移動する。そして、同図（Ｂ）に示すように例えば第１識別標記２３ａが進行方向を向くと、突出部２４の左右における厚みが均等となり、容器２０の傾きが無くなる。これにより、キャップ２２と第１ガイド５１との接触が解除され、容器２０の回転が停止する。その後、容器２０は第１識別標記２３ａが前方を向いた状態（進行方向を向いた状態）で、移動していく。
【００６５】
―第３の実施形態―
次に第３の実施形態における回転機構５０および容器２０について説明する。なお、他の構成については第１の実施形態と同様であるため、説明を省略する。
図１８は、第３の実施形態における回転機構５０を示した図である。なお、同図（Ａ）は、回転機構５０を前方側から眺めた場合の図であり、同図（Ｂ）は、回転機構５０の上面図である。
【００６６】
本実施形態における回転機構５０は、同図（Ａ）に示すように、ガイド３５を備えている。詳細には、左方側に配置された左方側ガイド３５１と、右方側に配置された右方側ガイド３５２とを備えている。付言すると、回転機構５０は、陳列装置１００（図１（Ｂ）参照）の幅方向に並列配置された左方側ガイド３５１と右方側ガイド３５２とを備えている。
【００６７】
ここで、左方側ガイド３５１および右方側ガイド３５２は、その断面が矩形状に形成されるとともに、上面が平坦に形成されている。また、左方側ガイド３５１と右方側ガイド３５２とは、間隙Ｌをおいて配置されている。即ち、左方側ガイド３５１と右方側ガイド３５２は、間隙Ｌをおいて離間した状態で配置されている。なお、左方側ガイド３５１および右方側ガイド３５２は、上記支持部６３から下方に延びる支持部３７にその一端部が固定されている。
【００６８】
また同図（Ａ）および同図（Ｂ）に示すように、左方側ガイド３５１の上面には、容器に対して摺動抵抗（摩擦抵抗）を付与する抵抗付与部３８が取り付けられている。ここでこの抵抗付与部３８は、左方側ガイド３５１の配設方向に沿って（陳列装置１００の前後方向）に沿って取り付けられている。なお抵抗付与部３８は、例えば、ＥＰＤＭ（エチレン−プロピレンゴム）などのゴム部材により構成することができる。
【００６９】
次いで容器について説明する。
図１９は、第３の実施形態における容器２０を説明するための図である。なお、同図（Ａ）は正面図を示し、同図（Ｂ）は上面図を示している。
【００７０】
本実施形態における容器２０は、上記第１の実施形態における容器２０と同様に構成されている。即ち、容器２０は、上部に開口（飲み口）を有し且つ筒状に形成され内部に飲料が充填された容器本体２１と、容器本体２１の開口を塞ぐキャップ２２とを備えている。また容器２０には、フィルムＦが装着されている。
【００７１】
また容器２０は、容器本体２１の上部に（キャップ２２の下部に）、容器本体２１の外周面から容器本体２１の径方向に突出した突出部２４を備えている。ここで、突出部２４は、同図（Ｂ）に示すように、直径Ｄ２を有した円の一部が切り欠かれた形状となっている。付言すれば、突出部２４は、直径Ｄ２を有した円の一部に面削ぎ状の部位が設けられた状態となっている。更に説明すれば、突出部２４は、直径Ｄ２を有した円の一部に、第１平坦部２４１が設けられ、他の一部に、第２平坦部２４２が設けられた状態となっている。
【００７２】
ここで、第１平坦部２４１および第２平坦部２４２は、互いに平行となる関係で配置されている。また、第１平坦部２４１と第２平坦部２４２とは、距離Ｄ１をおいて配置されている。さらに、識別標記２３との関係を説明すると、第１平坦部２４１および第２平坦部２４２は、第１識別標記２３ａおよび第２識別標記２３ｂに対し、位相が９０°ずれた状態で配置されている。
【００７３】
また、上記間隙Ｌ（図１８参照）との大小関係を説明すると、直径Ｄ２は間隙Ｌよりも大きくなっている。即ち、直径Ｄ２＞間隙Ｌの関係となっている。また、上記距離Ｄ１は間隙Ｌよりも小さくなっている。即ち、距離Ｄ１＜間隙Ｌとなっている。
さらに説明すると、第１識別標記２３ａ又は第２識別標記２３ｂが陳列装置１００（図１（Ｂ）参照）の前方を向いた際における突出部２４の幅は、間隙Ｌよりも小さくなっている。また、第１識別標記２３ａ又は第２識別標記２３ｂが前方以外の方向（例えば陳列装置１００の幅方向）を向いた際における突出部２４の幅は、間隙Ｌよりも大きくなっている。
【００７４】
さらに説明すると、第１識別標記２３ａ又は第２識別標記２３ｂが向いている方向における突出部２４の幅はＤ２となり、第１識別標記２３ａ又は第２識別標記２３ｂが向いている方向と直交する方向における突出部２４の幅はＤ２よりも小さいＤ１となっている。
このため本実施形態では、識別標記２３が前方以外を向いている際には容器２０がガイド３５（左方側ガイド３５１、右方側ガイド３５２）により支持され（容器２０が吊り下げられ）、識別標記２３が前方を向いた場合に容器２０がガイド３５から落下する（詳細は後述）。
なお突出部２４のうち直径Ｄ２を有する部分は幅広部として捉えることが可能であり、突出部２４のうち第１平坦部２４１が設けられた箇所から第２平坦部２４２が設けられた箇所にかけては幅狭部として捉えることができる。
【００７５】
次に、陳列装置１００（回転機構５０）における容器２０の動作について説明する。
図２０は、陳列装置１００における容器２０の動作を示した図である。
本実施形態では、まずガイド３５よりも突出部２４が上方に位置する状態で容器２０が投入される。付言すれば、ガイド３５により容器２０がつり下げられた状態で容器２０が投入される。なお、本実施形態では、容器２０の重心位置よりも上部にて容器２０はガイド３５により支持される。このため、容器２０の重心位置よりも下部にて容器２０が支持される場合に比べ、容器２０の回転（後述）が安定する。
【００７６】
ここで陳列装置１００に容器２０が投入された際、例えば同図の符号４Ａに示すように、第１識別標記２３ａおよび第２識別標記２３ｂが陳列装置１００の幅方向を向いている場合には、突出部２４が左方側ガイド３５１および右方側ガイド３５２によって支持される。即ち、突出部２４のうち上記直径Ｄ２を有した部位が、左方側ガイド３５１および右方側ガイド３５２によって支持される。
【００７７】
その後容器２０は前方へのスライド移動を開始するが、左方側ガイド３５１には抵抗付与部３８が設けられているために、容器２０の左方側に対し抗力が付与され、容器２０の左側は移動が抑制される。その一方で、容器２０の右方側は前方へ移動しようとする。このため容器２０は、符号４Ａに示すような時計回りの回転（周方向）の行いながら前方へ移動していく。
【００７８】
そして符号４Ｂに示すように、第１平坦部２４１および第２平坦部２４２が陳列装置１００の幅方向を向く状態となると、突出部２４が左方側ガイド３５１および右方側ガイド３５２の間を通過可能となり、容器２０は載置部３１（図１（Ａ）参照）へ（下方へ）落下する。付言すれば、ガイド３５から載置部３１へ容器２０が受け渡される。なお、容器２０が落下する際には、例えば第１識別標記２３ａが前方を向く状態となっている。そして載置部３１に落下した容器２０は、周方向の回転を行わずに（第１識別標記２３ａが前方を向いた状態で）陳列装置１００の前方まで移動していく。
【００７９】
本実施形態では、符号４Ａに示すように、例えば第１識別標記２３ａが陳列装置１００の幅方向を向いた状態で容器２０が投入されたとしても、前方に達する段階において、第１識別標記２３ａが前方に向くようになる。このため、第１識別標記２３ａが前方に向いていない状態で容器２０の載置（投入）を行ったとしても、陳列装置１００の前方側に容器２０が達した際に第１識別標記２３ａが前方に向いた状態となる。即ち容器２０を陳列装置１００に投入する投入者が特別な操作をしないでも、第１識別標記２３ａを前方に向けることが可能となる。
なお、本実施形態では、突出部２４を容器２０の上部に設けた場合を説明したが、突出部２４は、容器２０の高さ方向における中央部や、容器２０の底部側に設けることもできる。
【００８０】
また、回転機構５０は次のような形態とすることもできる。
図２１は、回転機構５０の他の形態を示した図である。
本図に示す回転機構５０は、キャップ２２の外周面と接触する接触面４０ａを有し、支持部６３から下方に向かって突出した突出部材４０が設けられている。
【００８１】
ここでキャップ２２は、その外周面に、キャップ２２の高さ方向に沿って配置された凸部、同じく高さ方向に沿って配置された凹部を有している。この凸部および凹部は複数設けられるとともに、キャップ２２の周方向において交互に配置されている。
また突出部材４０における接触面４０ａにも、複数の凸部および凹部が形成されている。この凸部および凹部は、上下方向に沿って設けられるとともに、陳列装置１００（陳列装置用ユニット３０）の前後方向において交互に配置されている。
【００８２】
そして本形態では、キャップ２２が接触面４０ａに接触した状態にあると、キャップ２２の外周面に形成された凹凸と、接触面４０ａに形成された凹凸とが噛み合うようになる。この結果、容器２０の左方側の移動が抑制され、容器２０は矢印１２Ａに示すような回転を行う。そして例えば、第２識別標記２３ｂが陳列装置１００の前方を向くと、容器２０は下方へ落下する。
【００８３】
ここで本形態では、接触面４０ａからキャップ２２が離間すると、容器２０に対して回転力を与えることができない。このため本形態では、容器２０の側部に接触することで容器２０の側方への移動を規制し、接触面４０ａとキャップ２２との離間を防止する防止部材４１が設けられている。なお、防止部材４１は、回転可能なロール状部材であり、容器２０の前方への移動を阻害しない構成となっている。また、この防止部材４１は、上記支持部６３により支持されている。
【００８４】
なお、本図では、防止部材４１を用いて接触面４０ａとキャップ２２との接触を維持しているが、例えば、右方側ガイド３５２を、図２１で示す長さよりも長くすることで接触の維持を図ることができる。また、例えば、左方側ガイド３５１および右方側ガイド３５２を傾斜して配置し容器２０が左側に寄るようにしても、接触の維持を図ることができる。
また本形態では、接触面４０ａに凹凸を付与したが、接触面４０ａに対してＥＰＤＭ（エチレン−プロピレンゴム）などのゴム部材を貼付してもよい。
【００８５】
また、上記では識別標記２３が前方を向いた際に容器２０が落下する構成であったが、容器２０が落下しない構成とすることもできる。
図２２は、回転機構５０および容器２０の他の一例を示した図である。
本例では、左方側ガイド３５１の上部であって左方に、ガイド突出部４１ａを備えた回転付与部１４１が設けられている。
【００８６】
一方、容器２０の突出部２４は、同図（Ｃ）に示すように、第１識別標記２３ａ、第２識別標記２３ｂと対応する位置に凹凸状の突起３４１を有している。
また、本実施形態では、載置部３１が上記形態よりも上方に位置している。このため、本形態では、同図（Ａ）に示すように、突出部２４の下面よりもガイド３５が下方に位置し、ガイド３５の上面と突出部２４の下面とが接触しないようになっている。本形態におけるガイド３５は、容器２０の左右方向への移動を規制する役割を果たしている。
【００８７】
ここで容器２０は、載置部３１上を移動するが、ガイド３５が設置された部分を通過するときに、同図（Ｂ）に示すように、突出部２４の突起３４１が左方側ガイド３５１側に設けられた回転付与部１４１のガイド突出部４１ａに噛み合うようになる。これにより容器２０は回転しながら前方へ移動する。そして、突起３４１とガイド突出部４１ａとの噛み合いが終了すると、容器２０の回転が停止する。そして容器２０は回転せずに前方へ移動していく。
【００８８】
なお、上記実施形態では、陳列装置１００が、揃え機構６０と複数の陳列装置用ユニット３０とから構成された例を説明した。ところで、この態様は一例であり、複数の陳列装置用ユニット３０を設けない構成とすることもできる。例えば幅広且つ板状の載置部３１を用いるとともに、この載置部３１にガイド３２を複数枚取り付けることにより、複数の容器移動経路を備えた陳列装置１００を形成することができる。
【００８９】
また上記実施形態では、飲料が充填された容器２０を一例に説明したが、容器２０は飲料を充填したものに限られない。例えば化粧品が充填された容器２０や、液体状の石鹸が充填された容器２０なども一例として挙げられる。また、内部に被充填物が充填された容器２０に限られず、識別標記２３が付され商品（物品）であれば上記実施形態を利用して識別標記２３を特定の方向に向けることができる。
【図面の簡単な説明】
【００９０】
【図１】本発明の実施形態に係る陳列装置等の概略構成を示した図である。
【図２】陳列装置が設置される陳列ケースを示した図である。
【図３】陳列装置に陳列される容器を説明するための図である。
【図４】陳列装置用ユニットの上面図を示している。
【図５】第１ガイドおよび第２ガイドの側面図である。
【図６】回転機構の断面図である。
【図７】容器の動作を説明するための図である。
【図８】容器の動作を説明するための図である。
【図９】容器の他の一例を示した図である。
【図１０】容器の他の一例を示した図である。
【図１１】揃え機構を陳列装置用ユニットとともに示した図である。
【図１２】容器の変形例を示した図である。
【図１３】装着部材を説明するための図である。
【図１４】第１ガイドおよび第２ガイドの変形例を示した図である。
【図１５】第１ガイドおよび第２ガイドの変形例を示した図である。
【図１６】揃え機構の変型例を説明するための図である。
【図１７】第２の実施形態に係る容器および回転機構を示した図である。
【図１８】第３の実施形態における回転機構を示した図である。
【図１９】第３の実施形態における容器を説明するための図である。
【図２０】陳列装置における容器の動作を示した図である。
【図２１】回転機構の他の形態を示した図である。
【図２２】回転機構および容器の他の一例を示した図である。
【図２３】陳列装置の他の構成を説明する図である。
【符号の説明】
【００９１】
２０…容器、３０…陳列装置用ユニット、５０…回転機構、５１…第１ガイド、５２…第２ガイド、５３…支持部材、６０…揃え機構、６１…第１脚部、６２…第２脚部、６３…支持部、１００…陳列装置
【図１】
2010187873.tif 000003
【図２】
2010187873.tif 000004
【図３】
2010187873.tif 000005
【図４】
2010187873.tif 000006
【図５】
2010187873.tif 000007
【図６】
2010187873.tif 000008
【図７】
2010187873.tif 000009
【図８】
2010187873.tif 000010
【図９】
2010187873.tif 000011
【図１０】
2010187873.tif 000012
【図１１】
2010187873.tif 000013
【図１２】
2010187873.tif 000014
【図１３】
2010187873.tif 000015
【図１４】
2010187873.tif 000016
【図１５】
2010187873.tif 000017
【図１６】
2010187873.tif 000018
【図１７】
2010187873.tif 000019
【図１８】
2010187873.tif 000020
【図１９】
2010187873.tif 000021
【図２０】
2010187873.tif 000022
【図２１】
2010187873.tif 000023
【図２２】
2010187873.tif 000024
【図２３】
2010187873.tif 000025